(57)【要約】      （修正有）【課題】エアバッグ抑制システムのための電気コネクタアセンブリを提供する。【解決手段】電気コネクタアセンブリは、長手軸に沿って整列された細長いハウジング２０、および嵌合軸に沿って、長手軸に直交するように向いた第１コネクタ１０の接続面１１を含んだ第１コネクタ１０を含み、第１コネクタ１０は、第１ロック手段および第２ロック手段を含み、コネクタアセンブリは、シュラウド１０１により少なくとも部分的に取り囲まれ、嵌合軸に沿って第１コネクタ１０の接続面１１に向けられた第２コネクタ１００の接続面１１０を含んだ第２コネクタ１００は、シュラウド１０１が、嵌合軸に沿って嵌合される場合に、第１コネクタ１０を第２コネクタ１００にロックするための第１ロック手段と協働する第３ロック手段を含み、嵌合されたコネクタアセンブリの嵌合軸に沿った延びは、長手軸に沿った延びよりも小さく、且つ横軸に沿った延びよりも小さい。【選択図】図１ａ
2018190714.tif 000002
【特許請求の範囲】
【請求項１】
エアバッグ抑制システムのための電気コネクタアセンブリであって、該電気コネクタアセンブリは、長手軸（Ｘ）に沿って整列された細長いハウジング（２０）、および前記長手軸に直交した嵌合軸（Ｚ）に沿って、前記長手軸（Ｘ）に直交するように向いた第１コネクタの接続面（１１）を含んだ第１コネクタ（１０）を含み、該第１コネクタは、該第１コネクタを第２コネクタ（１００）にロックするための第１ロック手段、および該第１ロック手段の開放を防止する第２ロック手段を含み、
前記コネクタアセンブリは、シュラウド（１０１）により少なくとも部分的に取り囲まれ、前記嵌合軸に沿って前記第１コネクタの接続面に向かって向けられた第２コネクタの接続面（１１０）を含んだ第２コネクタをさらに含み、前記シュラウドは、前記嵌合軸に沿って嵌合される場合に、前記第１コネクタを前記第２コネクタにロックするための、前記第１ロック手段と協働する第３ロック手段を含み、
嵌合された前記コネクタアセンブリの前記嵌合軸に沿った延びは、前記長手軸に沿った延びよりも小さく、且つ前記長手軸および前記嵌合軸に直交して配置された横軸（Ｙ）に沿った延びよりも小さい、電気コネクタアセンブリ。
【請求項２】
前記第１ロック手段は、前記細長いハウジング（２０）から前記横軸（Ｙ）に沿って外向きに突出した突起（３４）である、請求項１に記載の電気コネクタアセンブリ。
【請求項３】
前記突起（３４）は可撓性アーム（３３）の自由端上に配置され、前記可撓性アームは、前記細長いハウジング（２０）から前記嵌合軸（Ｚ）に沿って前記第２コネクタ（１００）に向かって延びている、請求項２に記載の電気コネクタアセンブリ。
【請求項４】
前記可撓性アーム（３３）は、前記嵌合軸（Ｚ）に沿って前記細長いハウジング（２０）と同じ長さだけ延びている、請求項３に記載の電気コネクタアセンブリ。
【請求項５】
前記第３ロック手段は、前記シュラウド（１０１）の内壁の凹部（１３４）により形成された端縁（１０３）である、請求項１から請求項４のいずれか一項に記載の電気コネクタアセンブリ。
【請求項６】
前記第２ロック手段は、前記細長いハウジング（２０）に取り付けられたコネクタ位置保証装置（５０）であり、該コネクタ位置保証装置は、前記コネクタアセンブリが嵌合される場合に、開位置（Ｏ）と阻止位置（Ｂ）との間を前記長手軸（Ｘ）に沿って移動可能である、請求項１から請求項５のいずれか一項に記載の電気コネクタアセンブリ。
【請求項７】
前記コネクタ位置保証装置（５０）は、前記横軸（Ｙ）に沿って整列された主部（５１）を含んでいる、請求項６に記載の電気コネクタアセンブリ。
【請求項８】
前記コネクタ位置保証装置（５０）は、前記主部（５１）から前記長手軸（Ｘ）に沿って前記細長いハウジング（２０）に向かって突出したバー形状部（５２）を含み、前記細長いハウジング（２０）は、前記長手軸（Ｘ）に沿って整列されたガイドキャビティ（２４）を含み、前記バー形状部（５２）は、前記コネクタアセンブリが嵌合される場合、前記ガイドキャビティ（２４）内で前記長手軸（Ｘ）に沿って移動可能である、請求項７に記載の電気コネクタアセンブリ。
【請求項９】
前記バー形状部（５２）および前記ガイドキャビティ（２４）は、長方形断面を有する、請求項８に記載の電気コネクタアセンブリ。
【請求項１０】
前記細長いハウジング（２０）は、貫通した電線（１２）をガイドするための開口部（２２）を含み、前記コネクタ位置保証装置（５０）は、前記細長いハウジング（２０）の開口部（２２）とは反対側に取り付けられており、それにより前記コネクタ位置保証装置（５０）は、前記開位置（Ｏ）から前記阻止位置（Ｂ）へと移動する間に、前記開口部（２２）に向かって移動される、請求項６から請求項９のいずれか一項に記載の電気コネクタアセンブリ。
【請求項１１】
前記第１コネクタ（１０）は接触子（１６）を含み、前記第２コネクタ（１００）は端子要素（１１１）を含み、前記長手軸（Ｘ）および前記横軸（Ｙ）により確定された平面（Ｐ）において、少なくとも、前記接触子（１６）の一部、前記端子要素（１１１）の一部、前記バー形状部（５２）の一部、および前記可撓性アーム（３３）の一部は、前記嵌合軸（Ｚ）に沿った少なくとも一点に存在している、請求項３に従属した、請求項８から請求項１０のいずれか一項に記載の電気コネクタアセンブリ。
【請求項１２】
前記第１コネクタ（１０）は接触子（１６）を含み、前記第２コネクタ（１００）は端子要素（１１１）を含み、前記接触子（１６）と前記端子要素（１１１）との間の接触点、および前記バー形状部（５２）の一部、ならびに前記可撓性アーム（３３）の一部は、前記横軸（Ｙ）に沿って一列に配列されている、請求項３に従属した、請求項８から請求項１０のいずれか一項に記載の電気コネクタアセンブリ。
【請求項１３】
前記コネクタ位置保証装置（５０）は安全アーム（６０）を含み、前記コネクタ位置保証装置（５０）が嵌合されていない状態となることを阻止しており、前記安全アーム（６０）は、前記主部（５１）から前記長手軸（Ｘ）に沿って前記細長いハウジング（２０）に向かって突出して、前記安全アーム（６０）に設けられた外向きに傾斜した安全面（６１）を含んでおり、前記第２コネクタは、前記嵌合軸（Ｚ）に沿って突出した、内向きに傾斜した解放面（１６１）を備えたポスト（１６０）を含み、嵌合後に、前記傾斜した安全面（６１）と前記傾斜した解放面（１６１）とは協働して、前記安全アーム（６０）は外向きに移動され、且つ前記コネクタ位置保証装置（５０）は、前記開位置（Ｏ）から前記阻止位置（Ｂ）へと移動される、請求項７から請求項１２のいずれか一項に記載の電気コネクタアセンブリ。
【請求項１４】
前記コネクタ位置保証装置（５０）は、嵌合軸（Ｚ）に沿って突出した最終ロック突起（５５）を含み、該最終ロック突起（５５）は、最終ロックアーム（５４）の自由端から突出しており、該最終ロックアームは、前記主部（５１）から前記長手軸（Ｘ）に沿って前記細長いハウジング（２０）に向かって突出しており、それにより前記最終ロック突起（５５）は、前記細長いハウジング（２０）内の端縁と協働して、前記コネクタ位置保証装置（５０）を前記阻止位置（Ｂ）にロックするように形成されている、請求項７から請求項１３のいずれか一項に記載の電気コネクタアセンブリ。
【請求項１５】
前記細長いハウジング（２０）は前記嵌合軸（Ｚ）に沿って延びたリブ（３２）を含み、前記シュラウド（１０１）は前記嵌合軸（Ｚ）に沿って延びた溝（１３２）を含み、前記リブ（３２）は、嵌合の間に前記溝（１３２）内に受容され、嵌合の間に前記コネクタをガイドする、請求項１から請求項１４のいずれか一項に記載の電気コネクタアセンブリ。
【発明の詳細な説明】
【技術分野】
【０００１】
本発明は、特にエアバッグ抑制システムのためのコネクタアセンブリに関する。コネクタアセンブリは、コネクタ位置保証装置および相手側コネクタを備えたコネクタハウジングを備えている。コネクタ位置保証装置はコネクタハウジングに割り当てられ、これによりこの装置は開位置から閉位置へとコネクタハウジングに対して移動可能である。
【背景技術】
【０００２】
多くの機器において、コネクタの安全な連結は重要度が高い。例えば自動車安全システム、例えば乗用車のエアバッグのような場合、エアバッグをその点火ベースに接続するために使用されるコネクタには、信頼性の高い安全システムが設けられなければならない。コネクタが意図せずに緩むことが不可能であることを確実にするために、ロック手段が使用されて、安全な機械的連結を保証している。
【０００３】
安全性、快適性、およびマルチメディアの領域における自動車の装備は、近年急速に成長してきた。これらの新規な構成のすべては、電気的および機械的な追加の活動を必要とする。追加の電気的配線およびプラグインシステムが、自動車に搭載されなければならない。このことは、自動車生産において小型化の風潮を導いている。電線および電気プラグシステムのために選択されるより小さい断面積は、寸法をより小さくしている。しかしながら、組立の際の扱いやすいプラグ−ソケットシステムを維持しようとする場合、小型化には限界がある。それに加えて、コネクタの不完全な組み立ては、安全なプラグイン接続のために排除されることが確実でなければならない。数年前に、ある種のコネクタタイプが開発され、その分野においてうまく使用され、これによりこのタイプのコネクタは、エアバッグ機器において確立された。特許文献１は、そのようなエアバッグコネクタを開示している。このコネクタは二次ロックを備え、多くの自動車に使用されている。しかしながら、その小型化にもかかわらず、このコネクタはあるサイズを有する。プラグは、嵌合された状態において嵌合したコネクタから突出し、このことは、組立の際に囲まれた空間において問題を引き起こし得る。現在の小型化が、もはや扱い不可能なプラグインシステムを生み出し、フェライト体のような大きい部品も収容されなければならないので、別の方法が問題解決のために見出されなければならない。
【先行技術文献】
【特許文献】
【０００４】
【特許文献１】欧州特許出願公開第２  ９６６  ７３５号明細書
【発明の概要】
【発明が解決しようとする課題】
【０００５】
本発明の目的は、エアバッグ点火システムのための電気コネクタアセンブリを提供することであり、このコネクタは組み立ての際に容易に取り扱われ、確実なプラグイン接続を提供し、狭い組み立て空間に適している。
【０００６】
これらのおよび他の目的は、以下の記載を読むことにより明らかになり、請求項１による電気コネクタアセンブリにより解決される。
【課題を解決するための手段】
【０００７】
本発明によれば、エアバッグ抑制システムのための電気コネクタアセンブリは、長手軸に沿って整列された細長いハウジング、および長手軸に直交した嵌合軸に沿って、長手軸に直交するように向いた第１コネクタの接続面を含んだ第１コネクタを含み、この第１コネクタは、第１コネクタを第２コネクタにロックするための第１ロック手段、および第１ロック手段の開放を防止する第２ロック手段を含み、コネクタアセンブリは、シュラウドにより少なくとも部分的に取り囲まれ、嵌合軸に沿って第１コネクタの接続面に向かって向けられた第２コネクタの接続面を含んだ第２コネクタをさらに含み、シュラウドは、嵌合軸に沿って嵌合される場合に、第１コネクタを第２コネクタにロックするための、第１ロック手段と協働する第３ロック手段を含み、嵌合されたコネクタアセンブリの嵌合軸に沿った延びは、長手軸に沿った延びよりも小さく、且つ長手軸および嵌合軸に直交して配置された横軸に沿った延びよりも小さい。
【０００８】
電気コネクタアセンブリは平坦なコネクタ構造を提供し、狭い環境においても使用可能である。第１コネクタおよび第２コネクタは、嵌合軸に関して小さい。さらに、第１コネクタは、第２コネクタ内に好適に完全に受容される。それが、嵌合方向におけるサイズが第２コネクタのみに依存する理由である。ロック手段は嵌合軸に直交した方向のみに作用し、嵌合方向に沿った追加の空間を必要としない。このために、環境下で第１コネクタの上に自由空間を見越す必要がなく、それはロック手段が嵌合軸に直交して操作されるためである。そのことは、組み立ての間の取り扱いをより容易にしている。
【０００９】
好適に、第１ロック手段は、細長いハウジングから横軸に沿って外向きに突出した突起である。突起が横軸に沿って突出しているので、嵌合軸に沿って空間を増大する必要がない。突起は、長手軸に沿って長さを延ばすように設計されて、より頑丈にすることが可能である。
【００１０】
好適に、突起は可撓性アームの自由端上に配置され、この可撓性アームは、細長いハウジングから嵌合軸に沿って第２コネクタに向かって延びている。可撓性アームは可撓性を提供しており、突起は、嵌合の間にシュラウドにより細長いハウジングへと内向きに変位され得る。可撓性アームが第２コネクタに向かって延びているので、突起は、嵌合の早い段階においてシュラウドと接触し、内向きに変位した可撓性アームは、損傷から保護される。
【００１１】
有利には、可撓性アームは、嵌合軸に沿って細長いハウジングと同じ長さだけ延びている。可撓性アームの可撓性を増大させるために、可能な限り長くすべきであるが、第１コネクタのサイズは増大させない。
【００１２】
有利には、第３ロック手段は、シュラウドの内壁の凹部により形成された端縁である。シュラウド内に端縁を設けるための容易な且つ安価な方法は、凹部を形成することである。必要であれば、キャビティもシュラウド内に設けられ得る。
【００１３】
好適に、第２ロック手段は、細長いハウジングに取り付けられたコネクタ位置保証装置であり、このコネクタ位置保証装置は、コネクタアセンブリが嵌合される場合に、開位置と阻止位置との間を長手軸に沿って移動可能である。第２ロック手段は、コネクタアセンブリが偶発的に分離されることを防止している。第２ロック手段は長手軸に沿って動作可能であり、横軸に沿った、または嵌合軸に沿った追加の空間を必要としない。
【００１４】
有利には、コネクタ位置保証装置は、横軸に沿って整列された主部を含んでいる。主部は、いくつかの機能を備えている。主部は、コネクタの嵌合の間、特に第２ロック手段をロックする間に、作業者のためのハンドルと共に作動する。さらに、主部は、コネクタ位置保証装置により必要とされる突起の始点として作用する。最後に、主部は、最終的に嵌合された状態において、細長いハウジングの壁を形成する。
【００１５】
好適に、コネクタ位置保証装置は、主部から長手軸に沿って細長いハウジングに向かって突出したバー形状部を含み、細長いハウジングは、長手軸に沿って整列されたガイドキャビティを含み、バー形状部は、コネクタアセンブリが嵌合される場合、ガイドキャビティ内で長手軸に沿って移動可能である。ガイドキャビティを取り囲んだ壁の一部は、可撓性アームにより形成されている。嵌合の間、可撓性アームは少なくとも部分的にガイドキャビティ内へと曲げられる。最終的に嵌合された場合、可撓性アームは再度緩められ、それにより突起は所定の開口部内に突出する。可撓性アームは、ガイドキャビティを取り囲んだ壁の一部を形成している。ガイドキャビティは、バー形状部を受容する準備ができている。バー形状部は、閉位置にある場合にガイドキャビティを満たし、それにより可撓性アームの移動を防止している。可撓性アームの移動がないため、突起は確実の所定の開口部内に保持され、第１および第２コネクタをロックする。
【００１６】
有利には、バー形状部およびガイドキャビティは、長方形断面を有する。長方形断面は、良好なガイド能力を提供する。
【００１７】
好適に、細長いハウジングは、貫通した電線をガイドするための開口部を含み、コネクタ位置保証装置は、細長いハウジングの開口部とは反対側に取り付けられており、それによりコネクタ位置保証装置は、開位置から阻止位置へと移動する間に、開口部に向かって移動される。この手段は、手動によるコネクタの組み立ての間に、電線を保持することにより第１の手を使用して、第１コネクタを正確な位置へと保持およびガイドすることを可能にしている。正確な位置において、コネクタは第２の手によって嵌め込まれ、且つロックされることが可能である。電線は、位置保証装置の操作を妨げない。
【００１８】
有利には、第１コネクタは接触子を含み、第２コネクタは端子要素を含み、長手軸および横軸により確定された平面において、少なくとも接触子の一部、端子要素の一部、およびバー形状部の一部、ならびに可撓性アームの一部は、嵌合軸に沿った一点に存在している。このデザインは、頑丈なコネクタを提供している。端子要素は、特に端子要素が接触を形成する領域において、ロック手段により取り囲まれている。このことは、電気的接続の高い信頼性を保証している。
【００１９】
好適に、第１コネクタは接触子を含み、第２コネクタは端子要素を含み、接触子と端子要素との間の接触点、およびバー形状部の一部、ならびに可撓性アームの一部は、横軸に沿って一列に配列されている。このデザインも、頑丈なコネクタを提供している。端子要素は、ロック手段に隣接している。端子要素およびロック手段のこの配列は、電気的接続の高い信頼を保証している。
【００２０】
コネクタ位置保証装置は安全アームを含み、コネクタ位置保証装置が嵌合されていない状態となることを阻止している。主部から長手軸に沿って細長いハウジングに向かって突出した安全アームは、安全アームに設けられた外向きに傾斜した安全面を含んでいる。第２コネクタは、嵌合軸に沿って突出した、内向きに傾斜した解放面を備えたポストを含み、嵌合後に、傾斜した安全面と傾斜した解放面とは協働して、安全アームは外向きに移動され、且つコネクタ位置保証装置は、開位置から阻止位置へと移動可能となる。この手段は、第１コネクタが第２コネクタに嵌合されていない間の、位置保証装置の不測の移動を防止している。嵌合の間に、コネクタ位置保証装置は解放される。
【００２１】
好適に、コネクタ位置保証装置は、嵌合軸に沿って突出した最終ロック突起を含み、この最終ロック突起は、最終ロックアームの自由端から突出しており、最終ロックアームは、主部から長手軸に沿って細長いハウジングに向かって突出しており、それにより最終ロック突起は、細長いハウジング内の端縁と協働して、コネクタ位置保証装置を阻止位置にロックするように形成されている。この手段は、第１コネクタと第２コネクタとが最終的に嵌合された場合に、位置保証装置を第１コネクタにロックすることにより位置保証装置の不測の移動を防止している。
【００２２】
有利には、細長いハウジングは嵌合軸に沿って延びたリブを含み、シュラウドは嵌合軸に沿って延びた溝を含み、リブは、嵌合の間に溝内に受容され、嵌合の間にコネクタをガイドする。リブは、嵌合工程の初期において溝と係合し、第１コネクタを嵌合軸に沿って第２コネクタに向かって精密にガイドする。このことは、端子要素の損傷を防止する。
【００２３】
以下において、本発明は添付図を参照するとともに例示的に記載されている。
【図面の簡単な説明】
【００２４】
【図１ａ】嵌合されていない状態のコネクタアセンブリを概略的に示した図である。
【図１ｂ】嵌合された状態のコネクタアセンブリを概略的に示した図である。
【図２】図１ａおよび図１ｂに示された第１コネクタを示した分解図である。
【図３ａ】第１コネクタの接続面を概略的に示した図である。
【図３ｂ】第２コネクタを概略的に示した図である。
【図４ａ】開位置にあるコネクタ位置保証装置を備えたコネクタアセンブリを概略的に示した図である。
【図４ｂ】阻止位置にあるコネクタ位置保証装置を備えたコネクタアセンブリを概略的に示した図である。
【図５ａ】開位置にあるコネクタ位置保証装置を備えたコネクタアセンブリを概略的に示した平面図である。
【図５ｂ】開位置にあるコネクタ位置保証装置を備えたコネクタアセンブリの横軸に沿った断面を概略的に示した図である。
【図６ａ】阻止位置にあるコネクタ位置保証装置を備えたコネクタアセンブリを概略的に示した平面図である。
【図６ｂ】阻止位置にあるコネクタ位置保証装置を備えたコネクタアセンブリの横軸に沿った断面を概略的に示した図である。
【発明を実施するための形態】
【００２５】
図１ａは、分離された状態における、エアバッグ抑制システムのための電気コネクタアセンブリを示している。電気コネクタアセンブリは、長手軸Ｘに沿って整列された細長いハウジング２０を備えた第１コネクタ１０を含んでいる。第１コネクタ接続面１１は長手軸Ｘに直交するように向いており、長手軸Ｘに直交した嵌合軸Ｚに沿っている。第１コネクタ１０は、第１コネクタ１０を第２コネクタ１００にロックするための第１ロック手段、および第１ロック手段が解放されることを防止するための第２ロック手段を含んでいる。コネクタアセンブリは、シュラウド１０１により少なくとも部分的に取り囲まれた、第２コネクタ接続面１１０を備えた第２コネクタ１００をさらに含み、第２コネクタ接続面は、第１コネクタ１０の接続面１１に向かって嵌合軸Ｚに沿って向けられている。シュラウド１０１は第１ロック手段と協働する第３ロック手段を含み、第３ロック手段は、嵌合軸Ｚに沿って嵌合された場合に、第１コネクタ１０を第２コネクタ１００にロックする。嵌合軸Ｚに沿った、嵌合されたコネクタアセンブリの延びは、長手軸Ｘに沿った延びよりも小さく、また、長手軸Ｘおよび嵌合軸Ｚに直交して配置された横軸Ｙに沿った延びよりも小さい。第１ロック手段は、横軸Ｙに沿って細長いハウジング２０から外向きに突出した突起３４である。突起３４は可撓性アーム３３の自由端上に配置され、可撓性アームは、細長いハウジング２０から嵌合軸Ｚに沿って第２コネクタ１００に向かって延びている。第２コネクタは、エアバッグ抑制システムのベースプレート２００上に取り付けられている。図１ｂは、電気的に接続された電気コネクタアセンブリを示しており、コネクタ位置保証装置５０は開位置にある。
【００２６】
図２は、図１ａおよび図１ｂに示された第１コネクタ１０の分解図を示している。可撓性アーム３３は、細長いハウジング２０と同じ長さだけ嵌合軸Ｚに沿って延びている。第２ロック手段は、細長いハウジング２０に取り付けられたコネクタ位置保証装置５０であり、コネクタ位置保証装置５０は、コネクタアセンブリが嵌合する場合に、長手軸Ｘに沿って開位置Ｏと阻止位置Ｂとの間を移動可能である。コネクタ位置保証装置５０は、横軸Ｙに沿って整列された主部５１を含んでいる。コネクタ位置保証装置５０は、主部５１から長手軸Ｘに沿って細長いハウジング２０に向かって突出したバー形状部５２も含んでいる。コネクタ位置保証装置５０は、コネクタ位置保証装置５０を未嵌合状態にロックするための安全アーム６０も含んでいる。安全アーム６０は、主部５１から長手軸Ｘに沿って細長いハウジング２０に向かって突出している。外向きに傾斜した安全面６１が安全アーム６０に配置され、第２コネクタは、嵌合軸Ｚに沿って突出した、内向きに傾斜した解放面１６１を備えたポスト１６０を含んでいる。嵌合した後に、傾斜した安全面６１と傾斜した解放面１６１とは、安全アーム６０が外向きに移動され、コネクタ位置保証装置５０が開位置Ｏから阻止位置Ｂへと移動されるように協働する。さらに、位置保証装置５０は、嵌合軸Ｚに沿って突出した最終ロック突起５５を含んでいる。最終ロック突起５５は、主部５１から長手軸Ｘに沿って細長いハウジング２０に向かって突出した最終ロックアーム５４から突出している。最終ロック突起５５は、細長いハウジング２０の端縁（図示略）と協働して、阻止位置Ｂにおいて位置保証装置５０をロックするように形成されている。細長いハウジング２０はキャビティを含み、電線１２に取り付けられた接触子１６を受け入れる。フェライト要素１４は、電線１２を取り囲んでいる。この実施形態においては、細長いハウジング２０は、キャビティを覆ったキャップ２０ａを備えている。細長いハウジング２０は、細長いハウジング２０を通じた電線１２をガイドするための開口部２２を含んでいる。コネクタ位置保証装置５０は、細長いハウジング２０の開口部２２の反対側に取り付けられている。細長いハウジング２０は、嵌合軸Ｚに沿って延びたリブ３２を含み、シュラウド１０１は、嵌合軸Ｚに沿って延びた溝１３２（図３ｂ）を含んでいる。リブ３２は、嵌合の間に溝１３２内に受容され、嵌合の間に第１コネクタ１０を第２コネクタ１００内にガイドする。
【００２７】
図３ａは、第１コネクタの接続面１１を概略的に示した図である。
【００２８】
図３ｂは、第２コネクタ１００を概略的に示している。第２コネクタ１００は、第２コネクタの接続面１１０から突出し且つ少なくとも部分的に嵌合軸Ｚに沿ってシュラウド１０１により取り囲まれたた端子要素１１１を含んでいる。第２コネクタは、嵌合軸Ｚに沿って突出し且つ内向きに傾斜した解放面１６１を備えたポスト１６０を備えている。嵌合の後、傾斜した安全面６１と傾斜した解放面１６１とは、安全アーム６０が外向きに移動され、且つコネクタ位置保証装置５０が開位置Ｏから阻止位置Ｂへと移動されるように協働する。第３ロック手段は、シュラウド１０１の内壁の凹部１３４により形成された端縁１０３（図５、図６）である。
【００２９】
図４ａは、接続された状態の電気コネクタアセンブリを概略的に示している。位置保証装置５０は、開位置Ｏにある。図４ｂは、位置保証装置５０が阻止位置Ｂにある場合の図４ａの図を示している。
【００３０】
図５ｂは、軸Ｃに沿って切断された図５ａに示されたコネクタアセンブリの断面を示しており、軸Ｃは断面図の上の平面図である図５ａに示されている。コネクタ位置保証装置５０は、開位置Ｏにある。バー形状部５２は長方形断面を有し、同じく長方形断面を有するガイドキャビティ２４内に部分的に挿入されている。コネクタ位置保証装置５０が開位置Ｏにある場合、可撓性アーム３３は、ガイドキャビティ２４の内側に曲げられることが可能である。突起３４は細長いハウジング２０から外向きに、横軸Ｙに沿ってシュラウド１０１の壁の凹部１３４内へと突出している。凹部１３４により形成された端縁１０３は、突起３４をロックして、嵌合軸Ｚに沿った移動を防止している。
【００３１】
図６ｂは、軸Ｄに沿って切断された図６ａに示されたコネクタアセンブリの断面を示しており、軸Ｄは断面図の上の平面図である図６ａに示されている。コネクタ位置保証装置５０は阻止位置Ｂにある。バー形状部５２は、ガイドキャビティ２４内に完全に挿入されている。コネクタ位置保証装置５０が阻止位置Ｂにある場合、可撓性アーム３３は、ガイドキャビティ２４の内側に曲げられることが不可能である。突起３４は細長いハウジング２０から外向きに、横軸Ｙに沿ってシュラウド１０１の壁の凹部１３４内へと突出している。凹部１３４により形成された端縁１０３は、突起３４をロックして、嵌合軸Ｚに沿った移動を防止している。第１コネクタ１０は接触子１６を含み、第２コネクタ１００は端子要素１１１を含み、長手軸Ｘおよび横軸Ｙにより確定された平面Ｐにおいて、少なくとも、接触子１６の一部、端子要素１１１の一部、バー形状部５２の一部、および可撓性アーム３３の一部は、嵌合軸Ｚに沿って少なくとも一点に存在している。接触子１６および端子要素１１１は、接触子１６と端子要素１１１との間に接点１１２を備えている。バー形状部５２の一部、可撓性アーム３３の一部は、および接点１１２は、横軸Ｙに沿って一列に配列されている。
【符号の説明】
【００３２】
１０  ・・・第１コネクタ
１１  ・・・第１コネクタ接続面
１２  ・・・電線
１４  ・・・フェライト要素
１６  ・・・接触子
２０  ・・・細長いハウジング
２０ａ  ・・・キャップ
２２  ・・・開口部
２４  ・・・ガイドキャビティ
３２  ・・・リブ
３３  ・・・可撓性アーム
３４  ・・・突起
５０  ・・・コネクタ位置保証装置
５１  ・・・主部
５２  ・・・バー形状部
５４  ・・・最終ロックアーム
５５  ・・・最終ロック突起
６０  ・・・安全アーム
１００  ・・・第２コネクタ
１０１  ・・・シュラウド
１０３  ・・・端縁
１１０  ・・・第２コネクタ接続面
１１１  ・・・端子要素
１１２  ・・・接点
１３２  ・・・溝
１３４  ・・・凹部
１６０  ・・・ポスト
１６１  ・・・開放面
２００  ・・・ベースプレート
Ｂ  ・・・阻止位置
Ｏ  ・・・開位置
Ｘ  ・・・長手軸
Ｙ  ・・・横軸
Ｚ  ・・・嵌合軸
【図１ａ】
2018190714.tif 000003
【図１ｂ】
2018190714.tif 000004
【図２】
2018190714.tif 000005
【図３ａ】
2018190714.tif 000006
【図３ｂ】
2018190714.tif 000007
【図４ａ】
2018190714.tif 000008
【図４ｂ】
2018190714.tif 000009
【図５ａ】
2018190714.tif 000010
【図５ｂ】
2018190714.tif 000011
【図６ａ】
2018190714.tif 000012
【図６ｂ】
2018190714.tif 000013
【外国語明細書】
2018190714000001.pdf